【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
データ記録／再生方法であって、
記録媒体から反射される光に基づく一つ以上の信号を出力するステップと、
出力された前記信号の最小値及び最大値を検出するステップと、
前記最小値及び前記最大値によってデータ記録／再生装置のヘッドと前記記録媒体間の間隔を調節するステップと
を含むことを特徴とする方法。
【請求項２】
前記記録媒体から反射される光に基づく一つ以上の信号を出力するステップが、
前記記録媒体に入射する光の光量を表すＲＦ信号、前記記録媒体に入射する光スポットのフォーカシング有無及び前記ヘッドと前記記録媒体間の間隔を表すギャップエラー信号、及び前記ヘッドの偏心有無を表すトラッキングエラー信号を出力するステップをさらに含むことを特徴とする請求項１に記載の方法。
【請求項３】
前記最小値及び前記最大値によって前記ヘッドと前記記録媒体間の間隔を調節するステップが、
前記最小値及び前記最大値を下位基準値及び上位基準値とそれぞれ比較するステップと、
当該比較結果にしたがって前記ヘッドと前記記録媒体間の間隔を調節するステップと、
をさらに含むことを特徴とする請求項１に記載の方法。
【請求項４】
前記比較結果にしたがって前記ヘッドと前記記録媒体間の間隔を調節するステップが、
前記最小値が前記下位基準値よりも小さい時、前記ヘッドと前記記録媒体間の間隔を広げるステップをさらに含むことを特徴とする請求項３に記載の方法。
【請求項５】
前記比較結果にしたがって前記ヘッドと前記記録媒体間の間隔を調節するステップが、
前記最大値が前記上位基準値よりも大きい時、前記ヘッドと前記記録媒体間の間隔を狭めるステップをさらに含むことを特徴とする請求項３に記載の方法。
【請求項６】
前記出力された信号が上下対称しているか否かによって前記ヘッドと前記記録媒体間の間隔を調節するステップをさらに含むことを特徴とする請求項１に記載の方法。
【請求項７】
前記出力された信号の最大値と平均値との差及び前記平均値と前記最小値との差が同一か否かを判断することによって、前記出力された信号が上下対称しているか否かを判断することを特徴とする請求項６に記載の方法。
【請求項８】
前記出力された信号が上下対称していない場合、前記ヘッドと前記記録媒体間の間隔を調節するステップをさらに含むことを特徴とする請求項６に記載の方法。
【請求項９】
データ記録／再生装置であって、
記録媒体に光を照射し、該記録媒体から反射される光を受信するヘッドと、
前記記録媒体から反射される光に基づいて一つ以上の信号を出力する信号出力部と、
前記ヘッドを移動させるヘッド移送部と、
前記信号出力部から出力された信号の最小値及び最大値によって前記ヘッドと前記記録媒体間の間隔を調節する制御部と
を含むことを特徴とする装置。
【請求項１０】
前記信号出力部が、
前記記録媒体に入射する光の光量を表すＲＦ信号、前記記録媒体に入射する光スポットのフォーカシング有無及び前記ヘッドと前記記録媒体間の間隔を表すギャップエラー信号、及び前記ヘッドの偏心有無を表すトラッキングエラー信号を出力することを特徴とする請求項９に記載の装置。
【請求項１１】
前記制御部が、
前記最小値及び前記最大値を下位基準値及び上位基準値とそれぞれ比較し、当該比較結果にしたがって前記ヘッドと前記記録媒体間の間隔を調節することを特徴とする請求項９に記載の装置。
【請求項１２】
前記制御部が、
前記最小値が前記下位基準値よりも小さい時、前記ヘッドと前記記録媒体間の間隔を広げることを特徴とする請求項１１に記載の装置。
【請求項１３】
前記制御部が、
前記最大値が前記上位基準値よりも大きい時、前記ヘッドと前記記録媒体間の間隔を狭めることを特徴とする請求項１１に記載の装置。
【請求項１４】
前記制御部が、
前記出力された信号が上下対称しているか否かによって前記ヘッドと前記記録媒体間の間隔を調節することを特徴とする請求項９に記載の装置。
【請求項１５】
前記制御部が、
前記出力された信号の前記最大値と平均値との差及び前記平均値と前記最小値との差が同じであるか否かを判断することによって、前記出力された信号が上下対称しているか否かを判断することを特徴とする請求項１４に記載の装置。
【手続補正２】
【補正対象書類名】明細書
【補正対象項目名】００１０
【補正方法】変更
【補正の内容】
【００１０】
上記方法において、前記記録媒体から反射される光に基づく一つ以上の信号を出力するステップは、前記記録媒体に入射する光の光量を表すＲＦ信号、前記記録媒体に入射する光スポットのフォーカシング有無及び前記ヘッドと前記記録媒体間の間隔を表すギャップエラー信号、及び前記ヘッドの偏心有無を表すトラッキングエラー信号を出力するステップを含むことができる。  
また、上記方法において、前記最小値及び前記最大値によって前記ヘッドと前記記録媒体間の間隔を調節するステップが、前記最小値及び前記最大値を下位基準値及び上位基準値とそれぞれ比較するステップと、当該比較結果にしたがって前記ヘッドと前記記録媒体間の間隔を調節するステップと、を含むことができる。さらに、前記比較結果にしたがって前記ヘッドと前記記録媒体間の間隔を調節するステップが、前記最小値が前記下位基準値よりも小さい時、前記ヘッドと前記記録媒体間の間隔を広げるステップをさらに含むことができる。さらに、前記比較結果にしたがって前記ヘッドと前記記録媒体間の間隔を調節するステップが、前記最大値が前記上位基準値よりも大きい時、前記ヘッドと前記記録媒体間の間隔を狭めるステップをさらに含むことができる。 
また、上記方法において、前記出力された信号が上下対称しているか否かによって前記ヘッドと前記記録媒体間の間隔を調節するステップをさらに含むことができる。さらに、前記出力された信号の最大値と平均値との差及び前記平均値と前記最小値との差が同一か否かを判断することによって、前記出力された信号が上下対称しているか否かを判断することができる。さらに、前記出力された信号が上下対称していない場合、前記ヘッドと前記記録媒体間の間隔を調節するステップをさらに含むことができる。
【手続補正３】
【補正対象書類名】明細書
【補正対象項目名】００１１
【補正方法】変更
【補正の内容】
【００１１】
本発明の一実施形態によるデータ記録／再生装置は、記録媒体に光を照射し、当該記録媒体から反射される光を受信するヘッドと、前記記録媒体から反射される光に基づいて一つ以上の信号を出力する信号出力部と、前記ヘッドを移動させるヘッド移送部と、前記信号出力部から出力された信号の最小値及び最大値によって前記ヘッドと前記記録媒体間の間隔を調節する制御部と、を含むことを特徴とする。
【手続補正４】
【補正対象書類名】明細書
【補正対象項目名】００１２
【補正方法】変更
【補正の内容】
【００１２】
上記装置において、前記信号出力部が、前記記録媒体に入射する光の光量を表すＲＦ信号、前記記録媒体に入射する光スポットのフォーカシング有無及び前記ヘッドと前記記録媒体間の間隔を表すギャップエラー信号、及び前記ヘッドの偏心有無を表すトラッキングエラー信号を出力することができる。 
また、上記装置において、前記制御部が、前記最小値及び前記最大値を下位基準値及び上位基準値とそれぞれ比較し、前記比較結果にしたがって前記ヘッドと前記記録媒体間の間隔を調節することができる。さらに、前記制御部が、前記最小値が前記下位基準値よりも小さいと、前記ヘッドと前記記録媒体間の間隔を広げることができる。さらに、前記制御部が、前記最大値が前記上位基準値よりも大きいと、前記ヘッドと前記記録媒体間の間隔を狭めることができる。 
また、上記装置において、前記制御部が、前記出力された信号が上下対称しているか否かによって前記ヘッドと前記記録媒体間の間隔を調節することができる。さらに、前記制御部が、前記出力された信号の前記最大値と平均値との差及び前記平均値と前記最小値との差が同じであるか否かを判断することによって、前記出力された信号が上下対称しているか否かを判断することができる。さらに、前記制御部が、前記出力された信号が上下対称していないと、前記ヘッドと前記記録媒体間の間隔を調節することができる。
【手続補正５】
【補正対象書類名】明細書
【補正対象項目名】００１３
【補正方法】変更
【補正の内容】
【００１３】
本発明の一実施形態によるデータ記録／再生方法は、データ記録／再生装置のヘッドと記録媒体間の間隔基準値を設定するステップと、前記記録媒体から反射される光に基づく信号を出力するステップと、前記出力された信号にノイズが存在するか否かを判断するステップと、前記判断結果にしたがって前記間隔基準値を調節するステップと、を含むことを特徴とする。
【手続補正６】
【補正対象書類名】明細書
【補正対象項目名】００１４
【補正方法】変更
【補正の内容】
【００１４】
上記方法において、前記出力された信号にノイズが存在するか否かを判断するステップが、前記出力された信号の最大値と最小値との差に基づいて前記ノイズが存在するか否かを判断するステップをさらに含むことができる。 
また、上記方法において、前記出力された信号にノイズが存在すると、前記出力された信号の最大値及び最小値に基づいて前記間隔基準値を調節するステップをさらに含むことができる。さらに、前記最小値が下位基準値よりも小さいと前記間隔基準値を広く調節し、前記最大値が上位基準値よりも大きいと前記間隔基準値を狭く調節することができる。
【手続補正７】
【補正対象書類名】明細書
【補正対象項目名】００１５
【補正方法】変更
【補正の内容】
【００１５】
本発明の一実施形態によるデータ記録／再生装置は、ヘッドと記録媒体間の間隔を表す信号を出力する信号出力部と、前記ヘッドと前記記録媒体間の間隔基準値を初期設定し、前記信号出力部より出力された信号にノイズが存在するか否かによって前記間隔基準値を調節する制御部と、を含むことを特徴とする。
【手続補正８】
【補正対象書類名】明細書
【補正対象項目名】００１６
【補正方法】変更
【補正の内容】
【００１６】
上記装置に置いて、前記制御部が、前記出力された信号の最大値と最小値との差に基づいて前記ノイズが存在するか否かを判断することができる。
また、上記装置において、前記制御部が、前記出力された信号にノイズが存在すると、前記出力された信号の最大値及び最小値に基づいて前記間隔基準値を調節することができる。さらに、前記制御部が、前記最小値が下位基準値よりも小さいと前記間隔基準値を広く調節し、前記最大値が上位基準値よりも大きいと前記間隔基準値を狭く調節することを特徴とすることができる。
【手続補正９】
【補正対象書類名】明細書
【補正対象項目名】００１７
【補正方法】変更
【補正の内容】
【００１７】
本発明の一実施形態によるデータ記録／再生方法は、記録媒体から反射される光に基づいて信号を出力するステップと、前記信号の変化量によって前記信号に含まれたノイズを除去するステップと、ノイズの除去された前記信号によってデータ記録／再生装置のピックアップと前記記録媒体間の間隔を制御するステップと、を含むことを特徴とする。
【手続補正１０】
【補正対象書類名】明細書
【補正対象項目名】００１８
【補正方法】変更
【補正の内容】
【００１８】
上記方法において、前記信号の変化量によって前記信号に含まれたノイズを除去するステップが、前記信号の変化量に基づいて前記信号にノイズが存在するか否かを判断するステップと、前記信号にノイズが存在すると前記信号の最大値を基準値以下に下げるステップと、をさらに含むことができる。さらに、前記信号の最大値を基準値以下に下げるステップが、前記信号を一定帯域のみを出力するフィルタに通過させるステップをさらに含むことができる。 
また、上記方法において、ノイズの除去された前記信号の利得を調節するステップをさらに含むことができる。 
また、上記方法において、前記出力される信号が、前記記録媒体に照射される光スポットのフォーカシング有無及び前記ピックアップと前記記録媒体間の間隔を表すギャップエラー信号であることができる。
【手続補正１１】
【補正対象書類名】明細書
【補正対象項目名】００１９
【補正方法】変更
【補正の内容】
【００１９】
本発明の一実施形態によるデータ記録／再生装置は、記録媒体に光を照射し、前記記録媒体から反射される光を受けるピックアップと、前記記録媒体から反射される光から検出される信号の変化量によって前記信号に含まれたノイズを除去する信号補正部と、前記ピックアップを移動させるピックアップ移送部と、ノイズの除去された前記信号によって前記ピックアップと前記記録媒体間の間隔を制御する制御部と、を含むことを特徴とする。
【手続補正１２】
【補正対象書類名】明細書
【補正対象項目名】００２０
【補正方法】変更
【補正の内容】
【００２０】
上記装置において、前記信号補正部が、前記信号の変化量に基づいて前記信号にノイズが存在するか否かを判断するノイズ検出部と、前記信号からノイズを除去するノイズ除去器と、をさらに含むことができる。さらに、前記ノイズ除去器が、前記信号の一定帯域のみを出力するフィルタであることができる。前記信号補正部が、前記信号の利得を調節する一つ以上の利得調節器をさらに含むことができる。 
また、上記装置において、前記信号補正部が、前記信号の変化量に基づいて前記信号からノイズを除去するノイズ除去部と、互いに異なる大きさに前記信号の利得をそれぞれ調節する第１及び第２の利得調節部と、ノイズの存在有無によって前記ノイズ除去器を前記第１の利得調節器または前記第２の利得調節器に選択的に連結するスイッチと、をさらに含むことができる。
【手続補正１３】
【補正対象書類名】明細書
【補正対象項目名】００２１
【補正方法】変更
【補正の内容】
【００２１】
本発明の一実施形態によるデータ記録／再生方法は、データ記録／再生装置のピックアップを第１の基準間隔に到達するように記録媒体に１次接近させるステップと、前記ピックアップが前記第１の基準間隔に到達すると、前記ピックアップが前記記録媒体のトラックをトレースするようにトラッキングサーボを行うステップと、前記ピックアップが前記記録媒体のトラックをトレースすると、前記ピックアップを第２の基準間隔に到達するように前記記録媒体に２次接近させるステップと、を含むことを特徴とする。
【手続補正１４】
【補正対象書類名】明細書
【補正対象項目名】００２２
【補正方法】変更
【補正の内容】
【００２２】
上記方法において、前記第１の基準間隔を５０〜６０ｎｍとし、前記第２の基準間隔を２０ｎｍとすることができる。 
また、上記方法において、前記ピックアップを第２の基準間隔に到達するように前記記録媒体に２次接近させるステップが、前記１次接近ステップの接近速度より低い速度で前記ピックアップを前記記録媒体に２次接近させるステップをさらに含むことができる。 
また、上記方法において、前記第１及び第２次接近ステップのうち少なくとも一ステップが、前記記録媒体から反射される光に基づいて信号を出力するステップと、前記信号の微分値によって前記信号に含まれたノイズを除去するステップと、を含むことができる。さらに、前記信号の微分値によって前記信号に含まれたノイズを除去するステップが、前記信号の微分値に基づいて前記信号にノイズが存在するか否かを判断するステップと、前記信号にノイズが存在すると前記信号の最大値を基準値以下に下げるステップと、をさらに含むことができる。
【手続補正１５】
【補正対象書類名】明細書
【補正対象項目名】００２３
【補正方法】変更
【補正の内容】
【００２３】
本発明のさらに他の実施形態によるデータ記録／再生装置は、ピックアップを第１の基準間隔に到達するように記録媒体に１次接近させ、第２の基準間隔に到達するように２次接近させるピックアップ移送部と、前記ピックアップが前記第１の基準間隔に到達すると前記ピックアップが前記記録媒体のトラックをトレースするように前記ピックアップ移送部を制御し、前記ピックアップが前記記録媒体のトラックをトレースすると前記ピックアップが前記第２の基準間隔に到達するように前記ピックアップ移送部を制御する制御部と、を含む。  
また、上記装置において、前記第１の基準間隔を５０〜６０ｎｍとし、前記第２の基準間隔を２０ｎｍとすることができる。 
また、上記装置において、前記ピックアップ移送部が、前記１次接近過程の接近速度より低い速度で前記ピックアップを前記記録媒体に２次接近させることができる。 
また、上記装置において、前記記録媒体から反射される光から検出される信号の変化量によって、前記信号に含まれたノイズを除去する信号補正部をさらに含むことができる。さらに、前記信号補正部が、前記信号の微分値に基づいて前記信号にノイズが存在するか否かを判断し、前記信号にノイズが存在すると前記信号の最大値を基準値以下に下げることができる。